(57)【要約】      （修正有）【課題】簡単な構造の部品の組み合わせで大きな節電能力を持つ円盤型動力機関を提供する。【解決手段】直径３０センチメ−トル以上の大きさの円盤をデスクグラインダ−に直結し、スライドトランスを経由して１００ボルト、５０、６０ヘルツの交流電源から約２５ワット以上の入力を与えるとこの円盤回転体は同一の負荷駆動に対して弾み車様の原理で大きな節電能力を持ち、小さな電力で同一負荷を駆動出来る円盤型動力機関を与える。【選択図】図７
0003110888.tif 000002
【実用新案登録請求の範囲】
【請求項１】
直径３０センチメ−トル程度以上の円盤、ここでは直径３０センチメ−トルで適当な質量及び慣性モ−メント、ここでは質量が１．７１キログラムを持った物の中心をここでは５アンペア用スライドトランスを経由したデスクグラインダ−、ここでは低速高トルク用７２０ワットにつなぎ、１００ボルト５０ヘルツの交流電源からスライドトランスで電圧を調整し、動力機関を駆動し、この円盤の回転角速度を２０３ラジアン毎秒、慣性モ−メント０．０２、始動開始後１秒で、機械的出力は、８２７ワットを出し、電気的入力は４２．７ボルト６．１８アンペアで２６３ワットを計測し、節電効果は６３パ−セントであった。以上の如くの３０センチメ−トル程度以上の円盤をデスクグラインダ−に組み込み入力を２５ワット以上と限定し、弾み車様の効果で節電効果を得る事を特徴とし、特に３０センチメ−トル以上の直径の円盤をデスクグラインダ−に付け出力を大きくする事を特徴とする円盤型動力機関。
【請求項２】
請求項１の円盤型動力機関を直接デスクグラインダ−で駆動する事をせず、別のデスクグラインダ−ここでは７２０ワットの低速高トルクの物に小直径プ−リ−を設備し、請求項１の円盤型動力機関の駆動電力をオフにした物の先に中直径プ−リ−を設備し両者をベルトで結合し、別のデスクグラインダ−で、スライドトランスで電圧を調整し動力機関を駆動し、負荷側の回転角速度を１４１ラジアン毎秒、慣性モ−メントを０．０２、始動開始後１秒で機械的出力は４４０ワットを計測し、電気的入力は４１．６ボルト６．３６アンペアで２６５ワットを計測し、節電効果は４０パ−セントでありここでも大型円盤の弾み車様の原理で大きな出力を生み出す事を特徴とする請求項１の円盤型動力機関。
【請求項３】
請求項１の動力機関に小直径プ−リ−を付け、その運動力学的出力を、適当な大きさのプ−リ−を付けた交流発電機、又は直流発電機とベルトで結合し動力をこれに伝え電力を発生させ、回転が成長したらその電力の一部を電力負荷に使用し、電力の他の一部を交流発電機では直接、直流発電機では直流−交流インバ−タ−を介して交流電源として、スライドトランスを介して円盤型動力機関の大きな円盤とデスクグラインダ−の組み合わせで弾み車様の効果で大きな出力をだす事を特徴とする請求項１の円盤型動力機関。
【請求項４】
請求項１の動力機関に小直径プ−リ−を付け、その運動力学的出力を、適当な大きさのプ−リ−を付けたモ−タ−、コンプレッサ−、ポンプ等とベルトで結合し動力をこれらに伝えて作動させ節電効果の上がったモ−タ−、コンプレッサ−、ポンプ等を得たもの、ここで請求項１の動力でモ−タ−を駆動させ、
また、負荷側にモ−タ−に適当な大きさのプ−リ−を付け、ベルトで結合させて、請求項１の動力機関でモ−タ−を駆動させた時、動力機関のスイッチを入れた後１秒後のモ−タ−側出力は、駆動側の角速度が１００．５ラジアン毎秒であり出力が２０２ワットに抑えられているので、この出力を、先の請求項１の出力８２７ワットから減ずるとモ−タ−での機械的出力が得られ、これは、６２５ワットで、この時の電気的入力は４１．２ボルト、７．８４アンペアで３２３ワットであり、ここでの節電効果は４８パ−セントであり、又負荷側に慣性モ−メントの小さいグラインダ−の軸に直接プ−リ−だけを付け、先の請求項１の動力機関を駆動源としてベルトで結合させ、駆動させると駆動側のスイッチを入れた１秒後の駆動側の機械的出力は角速度が、１０７．６ラジアン毎秒で２５４ワットであり、これを請求項１の動力機関の出から減ずると５７３ワットで、この時の電気的入力は４７．９ボルト、６．８８アンペアで３３０ワットであり、ここでの節電効果は４２パ−セントであり、いずれの請求項の動力機関も機械的出力は、電気的入力をうわまわり節電効果がはっきり出ている。ここで入力電力は駆動源のスイッチを入れた後０．５秒の値を中央値として電圧の中央値と、電流の中央値の積である。又回転円盤は直径３０センチメ−トル、慣性モ−メントは０．０２である。以上の如く、特徴ある部品の組み合わせに依り、簡単な構造で比較的大きな節電効果を生み出す請求項１の円盤型動力機関。
【考案の詳細な説明】
【技術分野】
【０００１】  本考案は節電、省電力、省力を効果的に行なう装置に関するものである。
【背景技術】
【０００２】この考案の背景には、たくさんの節電に関する物理的実験の背景があるが、フライホイ−ル様の働きで入力電力に加えて、回転時、回転体の慣性出力が加わりかつ回転のむら、振動を吸収して出力を増加させる等の働きがこの円盤にある。
又、機械的エネルギ−の増加等については、突然ですが、絶対零度における原子中の電子のハイゼンベルグの不確定性原理による零点振動−零点回転があり、周囲からなんのエネルギ−の流入が無くても、電子は回転等を行ない、その結果電子は角運動のエネルギ−を持ち、その結果、電磁波を発生する。以上の様に機械的エネルギ−増加等については類例が有り、又、エネルギ−保存則については最近、予想されたり確認されたりしている、いわゆるブラックホ−ル、ホワイトホ−ル、ワ−ムホ−ル、亜空間等の世界が有り、亜空間まで含まれる形ではエネルギ−保存則が成り立っているという解釈も出来る。
【考案の開示】
【考案が解決しようとする課題】
【０００３】
【０００４】この考案が解決しようとする課題はいかにして節電、省電力、省力を実現する時の条件をしぼり、どんな工夫が必要かという点にある。
【課題を解決するための手段】
【０００５】直径３０センチメ−トル以上で適当な重さの円盤をデスクグラインダ−にちょっけつし、スライドトランスを経由して約２５ワット以上の入力で、円盤を直結したデスクグラインダ−を駆動させると大きな節電の効果が得られる。
ただし、普通の方法で直径１０センチメ−トルのグラインダ−をデスクグラインダ−に付け定格の方法で回転させても節電効果は全く得られない。
又、請求項２で別のデスクグラインダ−で大円盤を駆動させる。
又請求項３では請求項１の動力機関でこの節電効果を利用して発電機で効率の良い発電をさせる。
又請求項４では請求項１の動力機関をモ−タ−、コンプレッサ−、ポンプ等とプ−リ−で結合させ節電効率の良いモ−タ−、コンプレッサ−、ポンプを得る。
又効率の良いベルトコンベア−等を得る。
【考案の効果】
【０００６】これらの装置で、負荷駆動電力がどの請求項に於ても約二分の一で約５０パ−セントの節電効果が有った。
【考案を実施する為の最良の形態】
【０００７】円盤の中心とデスクグラインダ−の中心を正確に合わせ強く固定し円盤が回転中にぶれない様にする事。
【実施例１】
【０００８】図１はこの考案の実体図である。スライドトランスを介してデスクグラインダ−に直径３０センチメ−トル以上の大きな円盤を直結し、交流電源から２５ワット以上の電力で駆動させると、このように条件をしぼる事に依って、入力電力が約３分の１で、同一負荷駆動ができると言う大きな節電効果が得られた。
【実施例２】
【０００９】図２は請求項２の動力機関に於て電源を切り、別ののデスクグラインダ−に小直径プ−リ−を設備し動力機関の方には中直径プ−リ−を設備して、別のデスクグラインダ−で２５ワット以上で駆動させた時の立面図である。
この場合でも入力電力が約２分の１で同一負荷駆動が得られた。
又図３に於てはモ−タ−等を第二段階負荷として円盤回転体の後段につないで駆動させた場合でも約２分の１の入力電力で同一負荷の駆動ができた。
【実施例３】
【００１０】図４、図５、図６は請求項１の動力機関に小直径プ−リ−を付け、その運動力学的出力を、適当な大きさのプ−リ−を付けた発電機とベルトで結合させ、２５ワット以上の電力で請求項１の動力機関で駆動させ、回転が成長したらその電力の一部を使って動力機関を駆動させた時の図である。
【実施例４】
【００１１】図７、図８、は請求項１の動力機関に小直径プ−リ−を付け、モ−タ−、コンプレッサ−、ポンプ等の負荷と直接ベルトで結合させ、モ−タ−等ではその後段にベルトコンベア−等を繋ぎ動力機関において、２５ワット以上で回転駆動させた時の図である。
図８では負荷の回転体に３０センチメ−トル以上の大きな円盤を付けた物である。いずれも大きな節電ができた。
図９では、請求項１の動力機関の軸心とグラインダ−と発電機の軸心を直結させ動力機関を２５ワット以上の電力で駆動させた時の図である。いずれも大きな節電効果が得られた。
図１０では請求項１の動力機関の後段に３０センチメ−トル以上の大きな円盤を付けた回転体をいくつか直列にベルトで結合させ更にモ−タ−、ベルトコンベア−等を付けて２５ワット以上の電力で請求項１の動力機関を駆動させた。ここでは出力２５１ワット、入力  １６６ワットで３４パ−セントの節電効果が得られた。
【産業上の利用可能性】
【００１２】機械の省電力化及び高効率の節電効果を可能にすると思われる。
【図面の簡単な説明】
【００１３】
【図１】図１は請求項１の動力機関の作動実体を示す立面図である。
【図２】図２は請求項２の内、外部電力で請求項１の動力機関を作動させた時の立面図である。
【図３】図３は請求項２の内、請求項１の動力機関を出力中継機として負荷を作動させた時の立面図である。
【図４】図４は請求項３の内、請求項１の動力機関を使って電力を節電している時の立面図である。
【図５】図５は本考案の作動原理を示す立面図である。図４の回転が成長した時図５に移る。
【図６】図６は、図５で発電機が直流発電機である時の図である。
【図７】図７は請求項４の内、請求項１の動力機関に小直径プ−リ−を設備しこれを適当な大きさのプ−リ−を設備したモ−タ−、コンプレッサ−、ポンプ、ベルトコンベア−等の負荷にベルトで接続した時の立面図である。
【図８】図８は請求項４の内、負荷に大きな円盤を持つ物を請求項１の動力機関を使って駆動させた時の立面図である。
【図９】図９は請求項４の内、請求項１の動力機関にモ−タ−、発電機、ベルトコンベア−等の負荷を軸心同士を直結して作動させた時の立面図である。
【図１０】図１０は請求項４の内、請求項１の動力機関を直列に設備して効率良く動力で節電した時の立面図である。
【図１１】図１１は請求項４の内、請求項１の動力機関に電源オフのデスクグラインダ−に適当な大きさのベルトで繋ぎ効率良く動力で節電した時の立面図である。
【符号の説明】
【００１４】▲１▼１００ボルト、５０、６０ヘルツ交流電源
▲２▼スライドトランス
▲３▼直径３０センチメ−トル以上の大きな円盤
▲４▼デスクグラインダ−
▲５▼中心軸
▲６▼ナット
▲７▼座金
▲８▼出力確認機
▲９▼出力中継機
▲１０▼第二段階負荷
▲１１▼ボルトメ−タ−
▲１２▼アンペアメ−タ−
▲１３▼小直径プ−リ−
▲１４▼中直径プ−リ−
▲１５▼１００ボルト、５０、６０ヘルツ交流発電機
▲１６▼直流発電機
▲１７▼直流−交流インバ−タ−
▲１８▼交流負荷
▲１９▼直流負荷
▲２０▼ベルト
▲２１▼電力節電機
▲２２▼適当な大きさのプ−リ−
▲２３▼モ−タ−、コンプレッサ−、ポンプ等
▲２４▼モ−タ−、発電機、ベルトコンベア−等の負荷
▲２５▼ジョイント
▲２６▼いくらか大きいプ−リ−
▲２７▼最終負荷の調整したプ−リ−
▲２８▼最終負荷
【図１】
0003110888.tif 000003
【図２】
0003110888.tif 000004
【図３】
0003110888.tif 000005
【図４】
0003110888.tif 000006
【図５】
0003110888.tif 000007
【図６】
0003110888.tif 000008
【図７】
0003110888.tif 000009
【図８】
0003110888.tif 000010
【図９】
0003110888.tif 000011
【図１０】
0003110888.tif 000012
【図１１】
0003110888.tif 000013